(57)【特許請求の範囲】
【請求項１】
ケース本体（５１）とケース蓋体（５２）とで開閉可能に構成され且つそれらケース本体（５１）とケース蓋体（５２）との間に基板（４１）を格納可能な基板ケース（４２）と、前記ケース本体（５１）と前記ケース蓋体（５２）とを閉鎖状態で封止可能な封止手段（５４）とを備え、前記基板ケース（４２）は、前記封止手段（５４）による封止後は該封止手段（５４）の損壊部（８７）を損壊しなければ開封できないように構成された遊技機において、前記基板（４１）と前記ケース蓋体（５２）との間に、前記基板（４１）側の電子部品（５７）を覆う保護カバー（５６）を配置し、前記保護カバー（５６）に、前記基板（４１）に設けられたコネクタ（５８ｂ）を取り囲むように配置され且つ前記基板（４１）と前記ケース蓋体（５２）との間の隙間を埋めるスペーサ部（１１４）を一体に設け、前記基板（４１）と前記保護カバー（５６）とをそれらの外縁部の少なくとも一部において互いに重ね合わせ、前記スペーサ部（１１４）を含む前記重ね合わせ部分を前記ケース本体（５１）と前記ケース蓋体（５２）とで挟み込んで固定したことを特徴とする遊技機。
【発明の詳細な説明】
【技術分野】
【０００１】
本発明は、基板を格納した状態で封止可能な基板ケースを備えたパチンコ機、スロットマシン等の遊技機に関するものである。
【背景技術】
【０００２】
パチンコ機等の遊技機では、各種制御基板等が基板ケースに格納された状態で本体裏側等に装着されている。一般的な基板ケースは、ケース本体とケース蓋体とを開閉可能に組み合わせることにより略箱形となるように構成されている。
【０００３】
また、遊技機の基板ケースには、制御基板に対する不正防止のための封止手段を備えたものがある。この封止手段は、ケース本体とケース蓋体とを閉鎖状態で現状復帰不能に封止するもので、制御基板を格納した基板ケースがこの封止手段により封止された後は、損壊部を損壊して開封の痕跡を残さない限り、この基板ケースを開いて内部の制御基板を取り出すことはできないようになっている（例えば特許文献１）。
【特許文献１】特開平１０−３１４４１５号公報
【発明の開示】
【発明が解決しようとする課題】
【０００４】
従来の遊技機では、上記のような封止手段を設けることで、痕跡を残すことなく基板ケースを開封することは常識的には不可能であったが、基板ケースは合成樹脂で形成されていることから、その構成によっては、封止手段に手を加えることなく、ケース本体とケース蓋体とを強引に変形させてそれらの間に隙間を作り、その隙間から基板にアクセスして例えば電子部品を交換する等の不正行為が行われる可能性が全くないとは言い切れなかった。
【０００５】
本発明は、上記事情に鑑みてなされたものであり、その目的とするところは、仮に封止手段に手を加えることなくケース本体とケース蓋体とを強引に変形させて基板ケースに隙間を作ったとしても、内部の基板に対して不正行為を行うことが不可能な遊技機を提供することにある。
【課題を解決するための手段】
【０００６】
本発明は、ケース本体５１とケース蓋体５２とで開閉可能に構成され且つそれらケース本体５１とケース蓋体５２との間に基板４１を格納可能な基板ケース４２と、前記ケース本体５１と前記ケース蓋体５２とを閉鎖状態で封止可能な封止手段５４とを備え、前記基板ケース４２は、前記封止手段５４による封止後は該封止手段５４の損壊部８７を損壊しなければ開封できないように構成された遊技機において、前記基板４１と前記ケース蓋体５２との間に、前記基板４１側の電子部品５７を覆う保護カバー５６を配置し、前記保護カバー５６に、前記基板４１に設けられたコネクタ５８ｂを取り囲むように配置され且つ前記基板４１と前記ケース蓋体５２との間の隙間を埋めるスペーサ部１１４を一体に設け、前記基板４１と前記保護カバー５６とをそれらの外縁部の少なくとも一部において互いに重ね合わせ、前記スペーサ部１１４を含む前記重ね合わせ部分を前記ケース本体５１と前記ケース蓋体５２とで挟み込んで固定したものである。
【発明の効果】
【０００７】
本発明によれば、仮に封止手段５４に手を加えることなくケース本体５１とケース蓋体５２とを強引に変形させて基板ケース４２に隙間を作ったとしても、保護カバー５６で覆われている電子部品５７にアクセスすることはできず、そのような不正行為を確実に防止できる。
【発明を実施するための最良の形態】
【０００８】
以下、本発明の実施形態を図面に基づいて詳述する。図１〜図１３は本発明をパチンコ機に採用した一実施形態を例示している。なお、以下の説明における上下左右の方向については、特に基準を示さない限り遊技機本体を前側から見た場合の上下左右をいうものとする。
【０００９】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１０】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１１】
遊技盤５の前側には、発射手段８により発射された遊技球を案内するガイドレール１１が略環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１２】
また、遊技盤５の裏面側には、図２に示すように、センターケース１４等の遊技部品を後側から覆う裏カバー１９が装着され、この裏カバー１９の背面側に、主制御基板２０が格納された主基板ケース２１、演出制御基板２２が格納された演出基板ケース２３、液晶制御基板２４が格納された液晶基板ケース２５等が着脱自在に装着されている。
【００１３】
前枠３の裏側には、前側から装着された遊技盤５の裏側を開閉自在に覆う開閉カバー３１が着脱自在に装着されると共に、その上部側に遊技球タンク３２とタンクレール３３とが、左右方向一端側、例えばヒンジ４側に払い出し手段３４と払い出し通路３５とが夫々装着されており、遊技球が大入賞手段１７等の入賞口に入賞したとき、又は図外の自動球貸し機から球貸し指令があったときに、遊技球タンク３２内の遊技球をタンクレール３３を経て払い出し手段３４により払い出し、その遊技球を払い出し通路３５を経て貯留皿９に案内するようになっている。
【００１４】
また、前枠３の裏側下部には、基板装着台３６が着脱自在に装着されており、この基板装着台３６の背面側の電源基板装着部３７、払い出し基板装着部３８に、電源基板３９が格納された電源基板ケース４０、払い出し制御基板４１が格納された払い出し基板ケース４２が夫々着脱自在に装着されている。
【００１５】
以下、払い出し基板装着部３８に装着される払い出し基板ケース４２についてその詳細を説明する。払い出し基板装着部３８は、図３に示すように、基板装着台３６の背面側に前向き凹入状に形成されており、その左右一端側、例えば右端側には払い出し基板ケース４２側の嵌合突部４３が嵌合可能な嵌合孔４４が形成され、また左右方向他端側、例えば左端側には、払い出し基板ケース４２側の被締結部４５（図５等）に係脱自在に係合する締結つまみ４６が、例えば下側の締結位置と上側の解除位置との間でスライド可能に装着されている。
【００１６】
払い出し基板ケース４２は、例えば前後に偏平な略矩形状の箱形で、図４〜図９に示すように、ケース本体５１及びケース蓋体５２と、例えば左右方向一端側でケース本体５１とケース蓋体５２とを係脱、開閉自在に結合するヒンジ手段５３と、例えば左右方向他端側でケース本体５１とケース蓋体５２とを閉鎖状態で封止可能な封止手段５４とを備え、その内部の基板収容部４２ａに、払い出し制御基板４１と共にスペーサ部材５５と保護カバー５６とが格納されている。
【００１７】
払い出し制御基板４１は略矩形状であって、その表側には、中央寄りの部分にＣＰＵ，ＲＯＭ，ＲＡＭ等の各種電子部品５７が配置され、また外縁部近傍には、複数のコネクタ５８ａ，５８ｂが装着されると共に位置決め穴５９及びねじ挿通穴６０が形成されている。
【００１８】
ケース本体５１は、略矩形板状の底板６１と、この底板６１の外周に沿って基板収容部４２ａ側に突設される上下左右の外周枠６２ａ〜６２ｄとを一体に備えている。外周枠６２ａ〜６２ｄのうちの例えば左側の外周枠６２ｃは、他の外周枠６２ａ，６２ｂ，６２ｄよりも底板６１からの突出幅が大きくなっており、払い出し制御基板４１は、その裏側を底板６１側に向け、左側の縁部を外周枠６２ｃの内面側に沿わせた状態で他の外周枠６２ａ，６２ｂ，６２ｄ上に装着されるようになっている。なお、外周枠６２ａ，６２ｂ，６２ｄ上には、払い出し制御基板４１側の位置決め穴５９及びねじ挿通穴６０に対応して位置決め突起６３及びねじ穴６４が形成されている。
【００１９】
底板６１の内面側には、左外周枠６２ｃ側縁部に、払い出し制御基板４１を裏側から支持する支持リブ６５が、外周枠６２ａ等と同じ高さで例えば複数突設されている。また、左外周枠６２ｃの内面側には、払い出し制御基板４１の表側に係合する基板押さえ部６６（図６，図８等）が突設されている。更に、ケース本体５１の左右方向一端側、例えば左端側には、払い出し基板装着部３８側の締結つまみ４６に対応する被締結部４５（図５等）が外向き突出状に一体形成されている。
【００２０】
ケース蓋体５２は、ケース本体５１側が開放する略矩形蓋状であって、ケース本体５１側の底板６１に対向する天板７１と、その天板７１の外周に沿って基板収容部４２ａ側に突設され且つケース本体５１側の外周枠６２ａ〜６２ｄの外側に嵌合する外周板７２とを一体に備えている。天板７１には、払い出し制御基板４１側のコネクタ５８ａ，５８ｂに対応する部分に払い出し制御基板４１側に凹入する第１，第２凹部７３，７４が形成されており、それら第１，第２凹部７３，７４以外の部分が膨出部７５となっている。
【００２１】
第１凹部７３は、図５等に示すようにケース蓋体５２の上縁部から右縁部の一部に跨るように略Ｌ字型に形成されており、その底面部７３ａは払い出し制御基板４１の表側に近接し、払い出し制御基板４１側のコネクタ５８ａを露出させるためのコネクタ穴７６が１又は複数形成されている。また、第２凹部７４は、ケース蓋体５２の下縁部左端側に配置されており、その底面部７４ａは、払い出し制御基板４１側のコネクタ５８ｂの先端側と略面一で、コネクタ５８ｂを露出させるためのコネクタ穴７７と、このコネクタ穴７７から払い出し制御基板４１側に向けて突設され且つコネクタ５８ｂの外周側に所定の隙間を介して嵌合する嵌合筒部７８（図７）とが設けられている。
【００２２】
また、ケース蓋体５２の左右方向一端側、例えば右端側には、払い出し基板装着部３８側の嵌合孔４４に嵌合可能な嵌合突部４３が外向き突出状に一体形成されている。
【００２３】
ヒンジ手段５３は、ケース本体５１の一端側、例えば右端側に一体に形成された上下一対のヒンジピン５３ａと、このヒンジピン５３ａに対応してケース蓋体５２の一端側、例えば右端側に一体に形成され且つヒンジピン５３ａに係脱、回動自在に係合する上下一対の係合片５３ｂとで構成されている。
【００２４】
一対のヒンジピン５３ａは、例えばケース本体５１の上部寄りの位置に配置されている。また、係合片５３ｂは、ケース蓋体５２の右外周板７２ａの前縁側に設けられており、ケース本体５１側の右外周枠６２ｄとヒンジピン５３ａとの間からヒンジピン５３ａの前側に係脱自在に係合する断面略Ｌ字型に形成されている。
【００２５】
封止手段５４は、払い出し基板ケース４２におけるヒンジ手段５３とは反対側の開閉端側、例えば左端側に沿って一列状に複数個（ここでは４個）配置され、それら４個の封止手段５４により最大４回までの封止、開封が可能となっている。
【００２６】
各封止手段５４は、図１０に示すように、ケース蓋体５２の天板７１と、その天板７１の内面側に固着された封止板８１と、ケース本体５１側の例えば左外周枠６２ｃの内面側に突設された離脱防止板８２とに跨がって設けられており、離脱防止板８２に形成された離脱防止部８３と、離脱防止板８２に当接して離脱防止部８３に対応する封止部８４と、封止部８４側から離脱防止部８３へと貫通して両者を分離不能に結合する封止ピン８５と、封止前の封止ピン８５を保持するピン保持部８６と、封止部８４及びピン保持部８６を封止板８１に一体に接続する損壊部８７と、ケース蓋体５２の外側から封止ピン８５を結合方向に押圧操作するための操作用開口部８８と、損壊部８７をケース蓋体５２の外側から切断するための天板７１側の切断用開口部８９とを備え、封止時にピン保持部８６内の封止ピン８５を操作用開口部８８を介して押圧操作することにより、この封止ピン８５が封止部８４側から離脱防止部８３に離脱不能に係合して封止し、またその封止状態で損壊部８７を切断することにより開封できるようになっている。
【００２７】
離脱防止部８３は、離脱防止板８２に形成された封止ピン８５用の挿通スリット９１と、この挿通スリット９１の両側で離脱防止板８２と一体に形成された一対の弾性係合部９２とを備え、その各弾性係合部９２に封止ピン８５の案内傾斜面が形成されている。なお、離脱防止板８２には、各挿通スリット９１の両側に逃げ用スリット９３が形成され、その隣り合うスリット９１，９３間が弾性係合部９２となっている。
【００２８】
なお、離脱防止板８２は、左外周枠６２ｃの内面側で且つ払い出し制御基板４１からその表側に所定距離離れた位置に払い出し制御基板４１と平行に配置されており、またその裏側に沿って、左外周枠６２ｃの内面側から内向きに複数の支持リブ９０が配置されている。なお、この支持リブ９０は平面視直角三角形で、その斜辺にあたる払い出し制御基板４１側の縁部９０ａは、左外周枠６２ｃから内側に離れるほどケース本体５１の底板６１及び払い出し制御基板４１からの距離が大きくなる傾斜状に形成されている。
【００２９】
ピン保持部８６は封止ピン８５を封止前の状態で保持するためのもので、角形の枠体により構成され、封止板８１とケース蓋体５２の嵌合リブ９５との間に配置されている。ピン保持部８６は、その軸方向の中間に係合凸部９６が相対向して設けられ、また先端部に、閉じたときに離脱防止板８２に当接するように封止部９４が一体に設けられている。封止部９４は角形のピン挿通孔９７を有する。損壊部８７はニッパー等の切断具で容易に切断可能な板状であって、ピン保持部８６の上部側中央と封止板８１とを接続するように一体に形成されている。
【００３０】
封止板８１には、この封止板８１の内周側から各損壊部８７の下方側へと斜めに傾斜する傾斜部９８が一体に形成されている。この傾斜部９８は、ピン保持部８６、封止部９４及び損壊部８７をケース蓋体５２の内側から覆うと共に、封止状態のときに下端側を離脱防止板８２上の突条部９９に当接させて切断用開口部８９の下方側を塞ぐためのものである。
【００３１】
封止ピン８５は封止部９４側から離脱防止板８２の離脱防止部８３側に貫通して、ケース本体５１とケース蓋体５２とを封止状態に結合するためのもので、封止前の封止ピン８５はピン保持部８６内に保持されている。封止ピン８５は、断面矩形状の軸部８５ａと、矩形状の係合鍔部１００と、軸部８５ａの先端側の台形状の係合頭部１０１と、係合鍔部１００から上側に突出する円柱状の被操作部１００ａとを備え、適当な弾性を有する合成樹脂材料により一体に成形されている。
【００３２】
係合鍔部１００はピン保持部８６に嵌合する角形状であって、封止前の状態では係合凸部９６によりピン保持部８６内に係止され、また封止状態では封止部９４に上側から係合するようになっている。係合頭部１０１は封止前の状態では封止部９４のピン挿通孔９７に嵌合し、また封止状態では離脱防止部８３の弾性係合部９２に下側から離脱不能に係合するようになっている。
【００３３】
ケース蓋体５２は、その天板７１上に４個の嵌合枠部１０２を備え、嵌合枠部１０２にピン保持部８６が下側から嵌合している。ピン保持部８６は嵌合枠部１０２に所定の間隙をおいて遊嵌しており、損壊部８７が損壊されて離脱防止板８２側に結合状態にあるときに、嵌合枠部１０２に対して嵌脱自在である。嵌合枠部１０２は、嵌合リブ９５及び天板７１に一体に形成され、また損壊部８７に対応する位置が開放状の切り欠き部１０３となっている。
【００３４】
操作用開口部８８は、嵌合枠部１０２の中央で天板７１に形成され、この操作用開口部８８に封止前の封止ピン８５の被操作部１００ａが下側から嵌合している。操作用開口部８８は封止ピン８５の被操作部１００ａに合わせた小径の丸孔であって、各操作用開口部８８の上側に、上方に向かって円錐面状に広がる案内部１０４が設けられている。
【００３５】
切断用開口部８９は払い出し基板ケース４２を開封するときに、切断具を挿入して損壊部８７を切断するためのもので、ケース蓋体５２の天板７１側に、各損壊部８７に跨がって長孔状に形成されている。
【００３６】
なお、払い出し基板ケース４２の構成部材は、封止手段５４の封止ピン８５等を除いて、内部を極力視認できるように透明な合成樹脂材料により構成されている。
【００３７】
スペーサ部材５５は、コネクタ５８ａの周囲で払い出し制御基板４１とケース蓋体５２との間の隙間を埋めるもので、図４に示すように、例えば透明な合成樹脂板により第１凹部７３に対応する略Ｌ字型に形成されている。スペーサ部材５５には、払い出し制御基板４１側のコネクタ５８ａが嵌合可能なコネクタ嵌合穴１１０が例えばコネクタ５８ａ毎に独立して設けられており、それらコネクタ嵌合穴１１０にコネクタ５８ａを嵌合させた状態で、払い出し制御基板４１とケース蓋体５２側の第１凹部７３の底面部７３ａとの間に装着されている。
【００３８】
保護カバー５６は、ケース蓋体５２の内側で払い出し制御基板４１側の電子部品５７を覆うもので、例えば透明な合成樹脂で形成されており、ケース蓋体５２側の天板７１に略平行な上壁部１１１とこの上壁部１１１の外周に沿って払い出し制御基板４１側に突設される上下左右の周壁部１１２ａ〜１１２ｄとで払い出し制御基板４１側が開放する蓋状に形成された電子部品カバー部１１３と、払い出し制御基板４１側のコネクタ５８ｂに対応するスペーサ部１１４とを一体に備え、払い出し制御基板４１とケース蓋体５２との間に配置され、例えば払い出し制御基板４１と共にケース本体５１側に着脱自在に固定されている。
【００３９】
電子部品カバー部１１３は、払い出し制御基板４１側に装着された電子部品５７の略全体を覆うもので、ケース蓋体５２側の膨出部７５に略対応する形状に形成されており、例えば上壁部１１１には多数の通気穴１１１ａが形成されている。
【００４０】
また、電子部品カバー部１１３は、例えば左端側に、離脱防止板８２及び第２凹部７４に対応して、上壁部１１１の外周側の一部を一段低くした段差部１１６が設けられ、またその段差部１１６とは反対側の端部側、例えば右端側にねじ挿通穴１１７が形成されたねじ止め部１１８が例えば払い出し制御基板４１の表側に沿って鍔状に設けられており、左端側の段差部１１６を離脱防止板８２と払い出し制御基板４１との間に挿入した状態で、右端側のねじ止め部１１８において払い出し制御基板４１と共にケース本体５１側にねじ止めされている。
【００４１】
なお、電子部品カバー部１１３の左端部を離脱防止板８２と払い出し制御基板４１との間に挿入する際、段差部１１６の縁部が支持リブ９０の傾斜状の縁部９０ａに沿って払い出し制御基板４１側に案内され、電子部品カバー部１１３側の左端側がケース本体５１側の左外周枠６２ｃに略当接する所定の装着位置まできたとき、図８に示すように、電子部品カバー部１１３の左端側が支持リブ９０と払い出し制御基板４１とで挟まれて払い出し制御基板４１に垂直な方向に略固定されるようになっている。
【００４２】
また、電子部品カバー部１１３は、少なくともスペーサ部材５５側に面していない部分、例えば下部側の周壁部１１２ｂについては、その端縁が払い出し制御基板４１の表側に隙間無く当接するようになっている。もちろん、全ての周壁部１１２ａ〜１１２ｄの端縁が払い出し制御基板４１の表側に隙間無く当接するように構成してもよい。
【００４３】
スペーサ部１１４は、コネクタ５８ｂの周囲で払い出し制御基板４１とケース蓋体５２との間の隙間を埋めるもので、第２凹部７４に対応する位置に、周壁部１１２の端縁から払い出し制御基板４１の表面に沿って外向きに延設されると共に、コネクタ５８ｂが嵌合するコネクタ嵌合穴１１５が形成されている。また、コネクタ嵌合穴１１５の周縁部には、図７に示すようにケース蓋体５２側の嵌合筒部７８の先端側が略当接するようになっており、スペーサ部１１４は、嵌合筒部７８の先端側と払い出し制御基板４１との間に挟まれて払い出し制御基板４１に垂直な方向に略固定されるようになっている。
【００４４】
上記構成のパチンコ機の組み立て工程において、払い出し制御基板４１を払い出し基板ケース４２に封入する際には、まずスペーサ部材５５と保護カバー５６とを、夫々のコネクタ嵌合穴１１０，１１５にコネクタ５８ａ，５８ｂを夫々嵌合させるように払い出し制御基板４１に装着する（図１１）。このとき、コネクタ嵌合穴１１０，１１５にコネクタ５８ａ，５８ｂが嵌合することにより、スペーサ部材５５と保護カバー５６とは共に払い出し制御基板４１に対してその板面に沿った方向に略固定される。
【００４５】
そして、それらスペーサ部材５５、保護カバー５６を装着した払い出し制御基板４１を、その左端側をケース本体５１側の離脱防止板８２と底板６１との間に右側から差し込みつつ、払い出し制御基板４１側の位置決め穴５９にケース本体５１側の位置決め突起６３を嵌合させることにより装着し（図１２）、保護カバー５６側と払い出し制御基板４１側の各ねじ挿通穴１１７，６０を介してケース本体５１側のねじ穴６４に固定ねじ１１９  （図４）をねじ込むことにより、保護カバー５６及び払い出し制御基板４１をケース本体５１に固定する。
【００４６】
このとき、保護カバー５６及び払い出し制御基板４１は、それらの左端側が、ケース本体５１側の支持リブ９０，６５間に挟まれることにより底板６１に垂直な方向に、また払い出し制御基板４１側の位置決め穴５９にケース本体５１側の位置決め突起６３が嵌合することにより底板６１に沿う方向に、夫々略固定されるため、それらの右端側が固定ねじ１１９によりケース本体５１側に共締めされることにより、ケース本体５１に対して略移動不能となる。
【００４７】
そして、ケース蓋体５２の係合片５３ｂをケース本体５１側のヒンジピン５３ａに係合させ、他端側を互いに近づける方向に相対的に回転させることによりケース蓋体５２をケース本体５１に嵌め合わせ（図１３）、４つの封止手段５４のうちの１個を用いてそれらケース本体５１とケース蓋体５２とを閉鎖状態で封止する。このとき、ケース蓋体５２側の嵌合筒部７８が払い出し制御基板４１側のコネクタ５８ｂに外嵌され、その先端側が保護カバー５６のスペーサ部１１４に略当接するため、保護カバー５６のスペーサ部１１４は、払い出し制御基板４１と共にケース本体５１とケース蓋体５２側の嵌合筒部７８とで挟まれることにより底板６１に垂直な方向に固定される。また、スペーサ部材５５についても、払い出し制御基板４１と共にケース本体５１とケース蓋体５２とで挟まれることにより払い出し基板ケース４２に固定される。
【００４８】
このように払い出し基板ケース４２を封止手段５４により封止した状態で、例えばケース本体５１とケース蓋体５２とを引き離す方向に強引に変形させて例えば払い出し基板ケース４２の下縁側に隙間を作ったとしても、払い出し制御基板４１の表側の電子部品５７はケース蓋体５２とは別の保護カバー５６により覆われているため、そのケース本体５１とケース蓋体５２との隙間から払い出し制御基板４１側の電子部品５７にアクセスすることはできず、電子部品５７の交換や不正部品の接続等の不正行為を未然に防止できる。
【００４９】
以上説明したように、本実施形態のパチンコ機は、払い出し制御基板４１とケース蓋体５２との間に、払い出し制御基板４１側の電子部品５７を覆う保護カバー５６を配置しているため、仮に封止手段５４に手を加えることなくケース本体５１とケース蓋体５２とを強引に変形させて払い出し基板ケース４２に隙間を作ったとしても、保護カバー５６で覆われている電子部品５７にアクセスすることはできず、電子部品５７を交換する等の不正行為を確実に防止できる。
【００５０】
また、保護カバー５６に、払い出し制御基板４１に設けられたコネクタ５８ｂを取り囲むように配置され且つ払い出し制御基板４１とケース蓋体５２との間の隙間を埋めるスペーサ部１１４を一体に設けているため、コネクタ５８ｂの周辺から払い出し制御基板４１上の電子部品５７へのアクセスも確実に防止できる。
【００５１】
また、払い出し制御基板４１及び保護カバー５６をケース本体５１側に着脱自在に固定した上でケース本体５１にケース蓋体５２を装着・封止するように構成しているため、封止手段５４を損壊してケース蓋体５２を取り外したとしても、更に保護カバー５６をケース本体５１から取り外さなければ電子部品５７にはアクセスできないため、例えば払い出し基板ケース４２を開封して行うゴト行為が行われるとしても非常に時間がかかり、そのようなゴト行為についても効果的に防止できる。
【００５２】
以上、本発明の実施形態について詳述したが、本発明はこれらの実施形態に限定されるものではなく、本発明の趣旨を逸脱しない範囲で種々の変更が可能である。例えば、実施形態ではスペーサ部材５５を保護カバー５６とは別体としたが、このスペーサ部材５５もスペーサ部１１４と同様に保護カバー５６に一体に設け、基板４１側の全てのコネクタに対するスペーサ部材を保護カバー５６と一体に形成してもよい。
【００５３】
保護カバー５６は、その周縁部のできるだけ多くの位置でケース本体５１側に固定することが望ましい。また、保護カバー５６は、例えば基板４１と共にケース蓋体５２側にねじ止め等により着脱自在に固定してもよい。
【００５４】
また、本発明は、払い出し制御基板４１を格納する払い出し基板ケース４２の他、主制御基板２０を格納する主基板ケース２１等、封止手段を備えた各種基板ケースについても同様に適用可能である。また、実施形態では本発明をパチンコ機に適用した例を示したが、アレンジボール機、スロットマシン等の各種遊技機において同様に実施可能であることは言うまでもない。
【図面の簡単な説明】
【００５５】
【図１】本発明の一実施形態を示す遊技機本体の全体正面図である。
【図２】遊技機本体の背面図である。
【図３】払い出し基板装着部及び払い出し基板ケースの斜視図である。
【図４】払い出し基板ケースの分解斜視図である。
【図５】払い出し基板ケースの背面図である。
【図６】図５におけるＡ矢視断面図である。
【図７】図５におけるＢ矢視断面図である。
【図８】図５におけるＣ矢視断面図である。
【図９】図６におけるＤ矢視断面図である。
【図１０】封止手段の分解斜視図である。
【図１１】払い出し基板ケースの組み立て工程における第１ステップを示す説明図である。
【図１２】払い出し基板ケースの組み立て工程における第２ステップを示す説明図である。
【図１３】払い出し基板ケースの組み立て工程における第３ステップを示す説明図である。
【符号の説明】
【００５６】
４１    払い出し制御基板（基板）
４２    払い出し基板ケース（基板ケース）
５１    ケース本体
５２    ケース蓋体
５４    封止手段
５６    保護カバー
５７    電子部品
５８ｂ  コネクタ
８７    損壊部
１１４    スペーサ部
【図１】
0005072581.tif 000002
【図２】
0005072581.tif 000003
【図３】
0005072581.tif 000004
【図４】
0005072581.tif 000005
【図５】
0005072581.tif 000006
【図６】
0005072581.tif 000007
【図７】
0005072581.tif 000008
【図８】
0005072581.tif 000009
【図９】
0005072581.tif 000010
【図１０】
0005072581.tif 000011
【図１１】
0005072581.tif 000012
【図１２】
0005072581.tif 000013
【図１３】
0005072581.tif 000014